(57)【特許請求の範囲】
【請求項１】
柄部材と替刃を取り付けるための挟着部材とから成り、両部材は別体に形成され、柄部材の前方に挟着部材が一連に結合されており、
前記挟着部材は両挟着板部を有し、その両挟着板部の間に両端が開放された溝が形成され、該溝の前端から替刃が挿入可能であり、且つ挟着板部の後方に前記柄部材に結合するための結合部が延在し、
柄部材には、前記結合部を挿入して嵌合するための嵌合穴が柄部材の先端から後方に向かって設けられ、前記溝の前端から挿入された替刃を所定の停止位置で止めるための停止部が柄部材の前端に該柄部材と一体に形成され、前記停止部は柄部材の先端から先方へ突出し、且つ前記停止部は溝の後方内部に突き出ていることを特徴とする替刃式かみそりホルダー。
【請求項２】
柄部材はプラスチックで一体に形成され、挟着部材は金属で一体に形成されている請求項１記載の替刃式かみそりホルダー。
【発明の詳細な説明】
【０００１】
【発明の属する技術分野】
本発明は、髪をカットするときに使用する替刃式かみそりホルダーに関する。
【０００２】
【従来の技術】
従来の替刃式かみそりホルダーは替刃を挟着する両挟着板の間に溝が形成され、溝の先端から替刃を挿入する構成であって、両挟着板は弾性的にやや押し広げられることにより替刃を確実に挟着している。そして、溝の長さは替刃と同じ長さに形成され、溝の後端部が閉じられて替刃を挿入する際の停止部の役目を果たしている。あるいは、溝は替刃よりも長く形成されて溝の後端は開放されているものも存在している。
【０００３】
【発明が解決しようとする課題】
従来の替刃式かみそりホルダーは上述した通りの構成であって、溝が行き止まりに形成されたものは、替刃を挿入する際の停止部として特別の手段は設けられていない。かみそりホルダーがプラスチック等で一体に形成されたときは、溝の行き止まりの後端面が停止部の作用をなしていた。このような構成であるときは、替刃を溝に挿入する際に最初は両挟着板が弾性的に開いて容易に挿入していくことができる。しかし、溝の後端部は行き止まりであって両挟着板は溝の後端面によって連結されているから、この部分で両挟着板は開くことができない。したがって、替刃を溝の最後の後端部分に挿入するときに大きな力が必要となり、このことは装着されている替刃を外すときも同様で最初に大きな力が必要となる。そこで、本発明は替刃を溝に一杯に挿入したときに替刃の後端部分でも両挟着板は弾性的に開き、替刃の挿入及び取り外しを容易にできるかみそりホルダーを提供することを目的とする。
【０００４】
また、従来のかみそりホルダーは柄の先方に替刃の挟着部が連なっており、挟着部は替刃の長さとほぼ同じ長さに形成されている。したがって、柄を握っている親指と人差し指が替刃に近接するために替刃の後端に近い部分が使用されなかった。本発明は、替刃を指から離すことによって替刃の全長を使用することができるかみそりホルダーを提供することを目的とする。
【０００５】
さらに、従来のかみそりホルダーには、溝が替刃よりも長く形成されて溝の後端は開放されているものも存在している。このような構造のものは、替刃を溝に挿入したときに替刃を挿入し過ぎて替刃の端部が溝の中に没入してしまう虞がある。そこで、溝の長さが替刃の長さよりも長いときでも、替刃を挿入する際に替刃の端部とかみそりホルダーの先端が一致するように挿入できるかみそりホルダーを提供することを目的とする。
【０００６】
【課題を解決するための手段】
本発明の請求項１は、柄部材と替刃を取り付けるための挟着部材とから成り、両部材は別体に形成され、柄部材の前方に挟着部材が一連に結合されており、前記挟着部材は両挟着板部を有し、その両挟着板部の間に両端が開放された溝が形成され、該溝の前端から替刃が挿入可能であり、且つ挟着板部の後方に前記柄部材に結合するための結合部が延在し、柄部材には、前記結合部を挿入して嵌合するための嵌合穴が柄部材の先端から後方に向かって設けられ、前記溝の前端から挿入された替刃を所定の停止位置で止めるための停止部が柄部材の前端に該柄部材と一体に形成され、前記停止部は柄部材の先端から先方へ突出し、且つ前記停止部は溝の後方内部に突き出ている構成である。また、請求項２は、柄部材がプラスチックで一体に形成され、挟着部材が金属で一体に形成されている要素が請求項１に付加された構成である。
【０００７】
【発明の効果】
本発明は以上のような構成であって、請求項１は、溝の先端から挿入された替刃を所定の停止位置で止めるための停止部が溝の後方内部に突き出ている。したがって、溝に一杯に装着された替刃の後端の停止位置での両挟着板部は弾性的に両側に開くことが可能であり、替刃を一杯に挿入する最後の段階においても替刃の後端部で両挟着板部が開くために替刃の装着が容易であり、替刃を取り外すときも同様の理由によって容易に行うことができる。
【０００８】
【発明の実施の形態】
次に本発明の実施の形態を図面に従って説明する。柄部材４と挟着部材1とが別体に形成され、図８から図１０は挟着部材１に関する図である。挟着部材１は金属で一体に形成され、ほぼ前半部に挟着板部２，２が長さ方向に延在し、両挟着板部２，２の間に溝３が延在している。溝３の先端及び後端は開放されている。挟着部材１の後半部は柄部材４と連結するための結合部５が形成されている。結合部５は挟着部材１の上半分の高さにあって挟着板部２，２の後方に延在している。したがって、挟着板部２，２は結合部５の底面よりも下方に延びているから、溝３は挟着板部２，２の後端で開放される。
【０００９】
図４から図７は柄部材４に関する図面である。柄部材４はプラスチックで一体に形成され、先端６から後方に向って細長い嵌合穴７が設けられている。停止部８は細長い板状に形成され柄部材４の先端６から先方へ突出しており、停止部の基部９は柄部材４の先端６で止まることなく、柄部材４の先端６よりも後方に延在している。このことは、停止部の基部９は嵌合穴７の先部の中に存在して、停止部の基部９と嵌合穴７の両内側面の間は隙間１０，１０が介在しているということである。これにより柄部材４と挟着部材１を結合させて組立てたときに、挟着板部２，２の後端部１１は隙間１０，１０内に挿入される。すなわち、柄部材の嵌合穴７は結合部５を嵌合できる大きさに形成されるが、嵌合穴７の先部に隙間１０，１０を設けることによって、この隙間１０，１０に挟着板部の後端部１１が挿入される。したがって、かみそりホルダーは挟着板部２，２の一部も嵌合穴７に挿入されるから、挟着板部２，２の後端と柄部材４の間が隙間を生じることなく連結されて一体性が増し安定的である。また、切られた髪や埃などが挟着板部２，２の後端と柄部材４の間に溜まる虞がない。
【００１０】
本発明を組立てるときは、柄部材の嵌合穴７の先端開放口から挟着部材の結合部５を挿入し嵌合する。結合部５をほぼ挿入したときに停止部８の先端が溝３の後端付近に届くので、停止部８の先端を溝３の後端に合わせてから溝３の中に挿入する。すなわち、停止部８は組立て時に挟着部材１の位置決め作用をなす。特に、結合部５の断面が円形のときに停止部３の位置決め作用は顕著な効果を発揮する。嵌合穴７はきつめに形成してあるから無理嵌めによって結合部５は嵌合され抜け出すことはない。確実に嵌合するために接着剤を用いてもよい。
【００１１】
次に本発明の使用方法を説明する。替刃１２は金属製の刃１３の表面をプラスチックの被覆部１４で全面的に覆い、刃縁を一定間隔置きに露出したものである。ただし、本発明がこのような替刃に限定されないことは勿論である。使用するときは替刃１２の一端を溝３の先端から挿入し、替刃１２のその一端が停止部８に突き当たるまで押し込む。溝３の先端から停止部８の先端までの距離を替刃１２の長さと同じにすることによって、替刃１２の他端は挟着部材１の先端と重なるので替刃１２が挟着部材１の先端から突き出ることがなく、引っ込むこともない。
【００１２】
挟着部材の溝３の後端から停止部８が挿し込まれているので、溝３の長さは挿入された停止部８の分だけ替刃１２の長さよりも実質的に長い。このことは、図２に示したように柄部材４の先方に延びる挟着板部２が替刃１２よりも長いことになる。そして、溝３内に停止部８が挿し込まれているから替刃１２は停止部８に規制されて柄部材の先端６よりもやや前方で止まることになり、替刃１２は柄部材の先端６と距離を置いて挟着板部２の先端寄りに固定される。これにより替刃１２の後端が柄部材の先端６から離れるから、使用時において替刃１２の全長を使用して髪をカットすることが容易となる。
【００１３】
また、溝３の長さが、挿入された停止部８の分だけ替刃１２の長さよりも実質的に長いことは、以下の理由によって替刃１２を溝３に着脱する作業が容易になることとなる。替刃１２が挟着板部２，２に挟着されるときはやや圧接状態で弾性的に挟着されており、この弾性は挟着板部２，２の弾性力によって得られることが多い。すなわち、替刃１２が溝３に装着されたときに挟着板部２，２はわずかであるが両側に弾性的に開くことによって弾性的に替刃１２を挟着する。もしも、溝に挿入された替刃の後端の位置において両挟着板部が両側に弾性的に開かない構成のとき、例えば溝と替刃の長さが同じであって溝が行き止まりのときは、溝の奥の壁が固定的であってその壁によりその両側の挟着板部は開かない。また、溝が替刃よりも長くても、挿入された替刃の後端の位置で両挟着板部の周囲を柄部材の先端部が覆っているときは、その位置で両挟着板部は柄部材に規制されて開かない。このように、溝に挿入された替刃の後端で両挟着板部が弾性的に開かないときは、替刃を一杯に挿入する最後の段階で、あるいは一杯に挿入された替刃を抜き取る最初の段階で強い力が必要であり、替刃１２を溝３に着脱する作業が困難である。本発明は停止部８の分だけ溝３の長さが替刃１２よりも長く、したがって両挟着板部２，２は実質的に替刃１２の後端よりも後方に延びているから、挿入された替刃１２の後端においても両挟着板部２，２は弾性的に開くことができるので替刃の着脱が容易であり、替刃１２は弾性的に挟着されるので確実に固定され自然に抜け出す虞がない。
【図面の簡単な説明】
【図１】  替刃を装着した本発明の一部断面図
【図２】  替刃を装着した本発明の正面図
【図３】  図２におけるＡ−Ａ拡大断面図
【図４】  柄部材の正面図
【図５】  柄部材の平面図
【図６】  柄部材の拡大した前面図
【図７】  柄部材の断面図
【図８】  挟着部材の正面図
【図９】  図８におけるＢ−Ｂ拡大断面図
【図１０】  図８におけるＣ−Ｃ拡大断面図
【符号の説明】
１  挟着部材
２  挟着板部
３  溝
４  柄部材
５  結合部
６  柄部材の先端
７  嵌合穴
８  停止部
９  停止部の基部
１０  隙間
１１  挟着板部の後端部
１２  替刃
１３  刃
１４  被覆部
【図１】
0004386330.tif 000002
【図２】
0004386330.tif 000003
【図３】
0004386330.tif 000004
【図４】
0004386330.tif 000005
【図５】
0004386330.tif 000006
【図６】
0004386330.tif 000007
【図７】
0004386330.tif 000008
【図８】
0004386330.tif 000009
【図９】
0004386330.tif 000010
【図１０】
0004386330.tif 000011